(57)【要約】【課題】  余分な部品を追加せず、既存の部品レイアウトを変更せずに、発熱部品を含む部品実装の高密度化を図って基板スペースを有効活用し、配線基板の小サイズ化を促進する。【解決手段】  発熱部品としてのサーミスタ２と非発熱部品５とコネクタ３とが混載されている配線基板１が、コネクタ３及びサーミスタ２を接続した一次側電源回路と、非発熱部品５を接続した二次側電源回路とを備える。コネクタ３に装着したソケット６に、サーミスタ２に係合してそのサーミスタ２の倒れ込みを阻止するフック６２を一体成形してある。ソケット６に消磁コイル６１を接続してある。フック６２は、ソケット６をコネクタ３に装着する操作を通じてサーミスタ２を押さえ込む。【選択図】        図１
2006254256.tif 000002
【特許請求の範囲】
【請求項１】
発熱部品と非発熱部品とソケットが装着されるコネクタとが混載されている配線基板に実装された上記発熱部品の倒れ防止構造であって、
上記配線基板が、上記コネクタ及び発熱部品を接続した一次側電源回路と、上記発熱部品を挟んでコネクタの反対側に配置された上記非発熱部品を接続した二次側電源回路とを備えるテレビジョン受像機用基板であり、
上記発熱部品が、リードピンを介して起立姿勢で配線基板に実装されているサーミスタであり、上記ソケットに消磁コイルが接続され、
上記サーミスタを挟んでコネクタの反対側に非発熱部品が配置され、かつ、コネクタを挟んで上記サーミスタの反対側に別の非発熱部品が追加して配置されていると共に、上記サーミスタを受け止めて当該サーミスタが上記別の非発熱部品側に倒れ込むことを阻止する難燃性樹脂でなる仕切り部材として、コネクタに装着された上記ソケットが用いられ、上記サーミスタに係合することによってそのサーミスタが当該サーミスタを挟んでコネクタの反対側に配置された上記非発熱部品側に倒れ込むことを阻止するフックが、コネクタに装着された上記ソケットに一体成形されていることを特徴とする基板実装発熱部品の倒れ防止構造。
【請求項２】
発熱部品と非発熱部品とソケットが装着されるコネクタとが混載されている配線基板に実装された上記発熱部品の倒れ防止構造であって、
発熱部品を挟む両側に振り分けて非発熱部品とコネクタとが配置されていて、発熱部品に係合することによってその発熱部品が非発熱部品側に倒れ込むことを阻止するフックが、コネクタに装着された上記ソケットに一体に形成されていることを特徴とする基板実装発熱部品の倒れ防止構造。
【請求項３】
発熱部品を挟んでコネクタの反対側に非発熱部品が配置され、かつ、コネクタを挟んで発熱部品の反対側に別の非発熱部品が追加して配置されていると共に、上記発熱部品を受け止めて当該発熱部品が上記別の上記非発熱部品側に倒れ込むことを阻止する仕切り部材として、コネクタに装着された上記ソケットが用いられている請求項２に記載した基板実装発熱部品の倒れ防止構造。
【請求項４】
上記配線基板が、上記コネクタ及び発熱部品を接続した一次側電源回路と、上記発熱部品を挟んでコネクタの反対側に配置された上記非発熱部品を接続した二次側電源回路とを有している請求項２又は請求項３に記載した基板実装発熱部品の倒れ防止構造。
【請求項５】
上記発熱部品が、リードピンを介して起立姿勢で配線基板に実装されているサーミスタである請求項４に記載した基板実装発熱部品の倒れ防止構造。
【請求項６】
上記ソケットに消磁コイルが接続され、かつ、そのソケットが難燃性樹脂で上記フックと共に一体成形されている請求項５に記載した基板実装発熱部品の倒れ防止構造。
【発明の詳細な説明】
【技術分野】
【０００１】
本発明は基板実装発熱部品の倒れ防止構造、たとえばテレビジョン受像機に用いる配線基板のように、サーミスタのような発熱部品と電解コンデンサのような非発熱部品とが近接配備されている配線基板において、発熱部品が非発熱部品側に倒れ込んで部品性能などが損なわれるという事態の起こることを防ぐための対策としての基板実装発熱部品の倒れ防止構造に関する。
【背景技術】
【０００２】
サーミスタなどの発熱部品や電解コンデンサなどの非発熱部品を実装した配線基板では、それらの各部品のレイアウトに工夫を講じることによってそれらの実装密度を高め、配線基板の小サイズ化を図っている。
【０００３】
図３には、この種の配線基板の一例として、一次側電源回路と二次側電源回路とを有して各種の電子部品を搭載したテレビジョン受像機用の配線基板１を例示してある。同図において、２は発熱部品としてのサーミスタ、３はコネクタ、４，５はそれぞれ非発熱部品であり、コネクタ３には消磁コイル６１が接続されたソケット６が装着されている。そして、サーミスタ２、コネクタ３及び非発熱部品４は配線基板１に形成されている一次側電源回路に接続されているのに対し、非発熱部品５は配線基板１に形成されている二次側電源回路に接続されている。
【０００４】
このような配線基板１において、コネクタ３には消磁コイル６１の接続されたソケット６が装着されていて、サーミスタ２がその消磁コイル６１の電磁的作用を制御する素子であり、両者共に一次側電源回路に接続されていることを考慮すれば、コネクタ３とサーミスタ２とは、配線基板１上でのレイアウト上、隣接して配置することが実装密度を高める上で有益であるので、従来よりコネクタ３とサーミスタ２とは図示のように隣接して配置されている。
【０００５】
一方、サーミスタ２は電源投入に伴い発熱して電気抵抗値を変化させる機能を備えているので、その発熱の影響が配線基板１に及ばないようにするために、リードピン２１を介して起立姿勢で配線基板１に実装されている。そして、二次側電源回路に接続されている非発熱部品５との関係では、リードピン２１が曲がって図３の仮想線のようにサーミスタ２が非発熱部品５側に倒れ込んだ場合でも、サーミスタ２と二次側部品である非発熱部品５との間に一定長さ以上（たとえば３ｍｍ以上）の沿面距離が確保されるようにして、非発熱部品５側に倒れ込んだサーミスタ２の発熱によって非発熱部品５が悪影響を受けないように配慮することが要求されている。
【０００６】
しかし、図３のようにサーミスタ２と二次側部品である非発熱部品５との間に比較的広いスペースを確保して上記の沿面距離を確保すると、そのスペースが配線基板１の小サイズ化を図る上での障害になる。そこで、たとえば図４のように、一次側部品としてのサーミスタ２と二次側部品としての非発熱部品５’とを近付けて配置し、両者の相互間に立ち基板７を設置することによって、配線基板１の小サイズ化とサーミスタ２の非発熱部品５’側への倒れ込み防止とを図ることがあった。
【０００７】
一方、従来より、配線基板に電子部品を高密度実装することに関連して電解コンデンサなどの倒れ込みを防止する対策についての提案が種々行われている（たとえば、特許文献１、特許文献２、特許文献３参照）。また、電子部品を電子回路基板に不動状態で固定するための手段についての提案（たとえば特許文献４参照）や、コネクタの抜け防止機構に関する提案（たとえば特許文献５参照）なども提案されている。
【特許文献１】実開平１１−２６１２５８号公報
【特許文献２】特開２０００−２１６５６２号公報
【特許文献３】実公昭４９−１７９３９号公報
【特許文献４】特開平１０−２３３５６６号公報
【特許文献５】特開平１１−６７３３４号公報
【発明の開示】
【発明が解決しようとする課題】
【０００８】
しかしながら、図４を参照して説明したような立ち基板７によってサーミスタ２の倒れ込みを防止するという対策では、立ち基板７が余分に必要になって組付けコストなどが高くつくという問題がある。
【０００９】
また、特許文献１、特許文献２又は特許文献３によって提案されている対策は、樹脂製ロッドや金属板、保持バンドなどを余分に用いるものであるので、これらの対策によっても樹脂製ロッドなどが余分に必要になるという問題がある。
【００１０】
本発明は以上の問題に鑑みてなされたものであり、余分な部品を追加することなくサーミスタなどの発熱部品が倒れることを未然に防ぐことを可能にして、部品実装の高密度化による配線基板の小サイズ化を促進することのできる基板実装発熱部品の倒れ防止構造を提供することを目的とする。
【課題を解決するための手段】
【００１１】
本発明に係る基板実装発熱部品の倒れ防止構造は、発熱部品と非発熱部品とソケットが装着されるコネクタとが混載されている配線基板に実装された上記発熱部品の倒れ防止構造であって、発熱部品を挟む両側に振り分けて非発熱部品とコネクタとが配置されていて、発熱部品に係合することによってその発熱部品が非発熱部品側に倒れ込むことを阻止するフックが、コネクタに装着された上記ソケットに一体に形成されている。
【００１２】
この構成であれば、発熱部品に係合することによってその発熱部品が非発熱部品側に倒れ込むことを阻止するフックが、コネクタに装着されたソケットに一体に形成されているので、余分な部品を追加することなく発熱部品が非発熱部品側に倒れ込むことが防止される。そのため、発熱部品と非発熱部品とを近付けて配置することによる部品実装の高密度化を図って配線基板の小サイズ化を促進することが可能になる。また、ソケットをコネクタに装着する操作を通じてフックが発熱部品に係合するという構成を採用することが可能であるという利点があり、その利点のために、フックを発熱部品に係合させる操作を別途行う必要をなくすることができて、組付け作業性の複雑化を回避することができるという長所もある。
【００１３】
本発明では、発熱部品を挟んでコネクタの反対側に非発熱部品が配置され、かつ、コネクタを挟んで発熱部品の反対側に別の非発熱部品が追加して配置されていると共に、上記発熱部品を受け止めて当該発熱部品が上記別の上記非発熱部品側に倒れ込むことを阻止する仕切り部材として、コネクタに装着された上記ソケットが用いられているという構成を採用することが可能である。これによれば、発熱部品がフックと仕切り材としてのソケットとの間に配備されてその両者によって発熱部品の倒れ込みが防止されるようになる。
【００１４】
本発明では、上記配線基板が、上記コネクタ及び発熱部品を接続した一次側電源回路と、上記発熱部品を挟んでコネクタの反対側に配置された上記非発熱部品を接続した二次側電源回路とを有している、という構成を採用することが可能である。この構成は、冒頭で説明したテレビジョン受像機用配線基板に実装されたサーミスタなどの発熱部品の倒れ込みを防ぐ上で特に有益である。
【００１５】
本発明では、発熱部品が、リードピンを介して起立姿勢で配線基板に実装されているサーミスタであってもよい。また、上記ソケットに消磁コイルが接続され、かつ、そのソケットが難燃性樹脂で上記フックと共に一体成形されているものであってもよい。これらの構成も、冒頭で説明したテレビジョン受像機用配線基板に公的に適用することが可能である。
【００１６】
本発明に係る基板実装発熱部品の倒れ防止構造は、発熱部品と非発熱部品とソケットが装着されるコネクタとが混載されている配線基板に実装された上記発熱部品の倒れ防止構造であって、上記配線基板が、上記コネクタ及び発熱部品を接続した一次側電源回路と、上記発熱部品を挟んでコネクタの反対側に配置された上記非発熱部品を接続した二次側電源回路とを備えるテレビジョン受像機用基板であり、上記発熱部品が、リードピンを介して起立姿勢で配線基板に実装されているサーミスタであり、上記ソケットに消磁コイルが接続され、上記サーミスタを挟んでコネクタの反対側に非発熱部品が配置され、かつ、コネクタを挟んで上記サーミスタの反対側に別の非発熱部品が追加して配置されていると共に、上記サーミスタを受け止めて当該サーミスタが上記別の非発熱部品側に倒れ込むことを阻止する難燃性樹脂でなる仕切り部材として、コネクタに装着された上記ソケットが用いられ、上記サーミスタに係合することによってそのサーミスタが当該サーミスタを挟んでコネクタの反対側に配置された上記非発熱部品側に倒れ込むことを阻止するフックが、コネクタに装着された上記ソケットに一体成形されている、という構成を採用することによっていっそう具体化される。この発明の作用などについては後述する実施形態を参照して詳細に説明する。
【発明の効果】
【００１７】
以上のように、本発明に係る基板実装発熱部品の倒れ防止構造によれば、サーミスタなどの発熱部品に隣接して配置されるコネクタの相手方部品としてのソケットにフックを具備させ、そのフックによって発熱部品を係合させてその発熱部品の倒れ込みを防ぐというものであるので、余分な部品を追加せず、しかも、既存の部品レイアウトを変更せずに、部品実装の高密度化を図って基板スペースを有効活用し、もって、配線基板の小サイズ化を促進することが可能になり、ひいては小形で安全性の高いテレビジョン受像機を安価にユーザに対して提供することが可能になる。
【発明を実施するための最良の形態】
【００１８】
図１は本発明の実施形態に係る基板実装発熱部品の倒れ防止構造の一部破断側面図、図２はソケット６などの概略斜視図である。
【００１９】
図１に示した配線基板１は、ビデオ一体型テレビジョン受像機、ＤＶＤ一体型テレビジョン受像機といったＡＶ複合機に用いられている配線基板を示している。この配線基板１には、図３で説明したところと同様に、発熱部品としてのサーミスタ２、コネクタ３、非発熱部品４，５などが実装されていて、コネクタ３には消磁コイル６１が接続されたソケット６が装着されている。そして、サーミスタ２、コネクタ３及び非発熱部品４は配線基板１に形成されている一次側電源回路に接続されているのに対し、非発熱部品５は配線基板１に形成されている二次側電源回路に接続されている。また、コネクタ３とサーミスタ２とを隣接して配置することによって配線基板１上での実装密度を高めてあることに加え、サーミスタ２を、図５の場合よりも二次側部品である非発熱部品５に近付けて配置することによって実装密度をさらに高めている。
【００２０】
この実施形態では、ソケット６を仕切り部材として用いることによって、サーミスタ２を受け止めて当該サーミスタ２が一次側部品である非発熱部品４側に倒れ込むことを阻止するようにしてある。そして、そのような仕切り部材に要求される耐熱性や難燃性を確保するためにソッケト６を難燃性樹脂で成形してある。また、ソケット６にはフック６２が一体成形されていて、そのフック６２をサーミスタ２に係合させることによってそのサーミスタ２が二次側部品である非発熱部品５側に倒れ込むことを阻止するようにしてある。
【００２１】
この構成であると、配線基板１にリードピン２１を介して起立姿勢で実装されたサーミスタ２がフック６２の係合片部６３とソケット６との間に配備されてその両者によってそのサーミスタ２の倒れ込みが阻止される。すなわち、サーミスタ２が二次側部品である非発熱部品５側に倒れ込むことがフック６２の係合片部６３によって阻止されるのに対し、サーミスタ２が一次側部品である非発熱部品４側に倒れ込んだときには、そのサーミスタ２が図１仮想線のようにソケット６により受け止められて非発熱部品４に近付くことが防止される。したがって、リードピン２１が曲がってサーミスタ２が二次側部品である非発熱部品５側に倒れ込んでその発熱による悪影響が非発熱部品５に及ぶという事態や、サーミスタ２が一次側部品である非発熱部品４側に倒れ込んでその発熱による悪影響が非発熱部品４に及ぶという事態の起こる余地がない。その上、上記したように、コネクタ３とサーミスタ２とを隣接して配置することによって配線基板１上での実装密度を高めてあることに加え、サーミスタ２を、図５の場合よりも二次側部品である非発熱部品５に近付けて配置することによって実装密度をさらに高めているために、配線基板１のスペースが有効活用されてその小サイズ化が図られている。
【００２２】
この実施形態において、フック６２はソケット６と共に難燃性樹脂で一体成形されているので、そのフック６２を設けることが部品を増加することにはつながらないという利点がある。また、この実施形態では、図２のように、コネクタ３に対して上方から矢印Ｄのように押し下げて差込み装着されるソケット６にフック６２を一体成形し、しかも、コネクタ３にソケット６を装着する操作を通じてそのフック６２がサーミスタ２を押さえ込んで係合片部６３がサーミスタ２の背面に対峙するように構成してある。このために、フック６２をサーミスタ２に係合させるための特別な操作を行う必要がないという組付け面での利点がある。
【００２３】
なお、上記した非発熱部品４，５にはたとえば電解コンデンサやその他の発熱を伴わない部品が含まれる。
【図面の簡単な説明】
【００２４】
【図１】本発明の実施形態に係る基板実装発熱部品の倒れ防止構造の一部破断側面図である。
【図２】ソケットなどの概略斜視図である。
【図３】テレビジョン受像機用の配線基板を例示した一部破断側面図である。
【図４】立ち基板を用いた基板実装発熱部品の倒れ防止構造の一部破断側面図である。
【符号の説明】
【００２５】
１  配線基板
２  サーミスタ（発熱部品）
３  コネクタ
４，５  非発熱部品
６  ソケット
２１  リードピン
６１  消磁コイル
６２  フック
【図１】
2006254256.tif 000003
【図２】
2006254256.tif 000004
【図３】
2006254256.tif 000005
【図４】
2006254256.tif 000006